(57)【特許請求の範囲】
【請求項１】
両面に電極が設けられた正特性サーミスタ素子の一方の電極にバネ性を有するリード線を半田付けし、正特性サーミスタ素子の他方の電極にもリード線を半田付けし、他方の電極と基板とをエポキシ樹脂等の接着剤で接着させ、上記他方の電極全面が上記接着剤でコーティングされており、且つ正特性サーミスタ素子の一方の電極とリード線とが離間するようにリード線のバネ性を付勢した状態で当該リード線の他端を基板に半田付けし、他方の電極のリード線の他端も基板に半田付けし、正特性サーミスタに過電圧・過電流が加わった場合、正特性サーミスタが自己発熱して正特性サーミスタ素子の電極とバネ性を有するリード線を接続した半田を融解させ、リード線のバネ力で正特性サーミスタ素子の電極とリード線とが離間することにより回路を遮断するとともに、上記バネ力で離間する迄の間、上記接着剤により正特性サーミスタの電極間でのアーク放電による正特性サーミスタ素子の焼損を防止することを特徴とする過電圧・過電流保護装置。
【請求項２】
両面に電極が設けられた正特性サーミスタ素子の一方の電極に半田付けされたリード線にバネ材を半田付けし、正特性サーミスタ素子の他方の電極にもリード線を半田付けし、他方の電極と基板とをエポキシ樹脂等の接着剤で接着させ、上記他方の電極全面が上記接着剤でコーティングされており、且つリード線と正特性サーミスタ素子の一方の電極とが離間するようにバネ性を付勢した状態でバネ材の他端を基板に半田付けし、他方の電極のリード線の他端も基板に半田付けし、正特性サーミスタに過電圧・過電流が加わった場合、正特性サーミスタが自己発熱して正特性サーミスタ素子の一方の電極とバネ材を半田付けしたリード線とを接続した半田を融解させ、バネ材のバネ力で正特性サーミスタ素子の電極とリード線とが離間することにより回路を遮断するとともに、上記バネ力で離間する迄の間、上記接着剤により正特性サーミスタの電極間でのアーク放電による正特性サーミスタ素子の焼損を防止することを特徴とする過電圧・過電流保護装置。
【発明の詳細な説明】
【０００１】
【発明の属する技術分野】
本発明は、電子機器例えば電話器の電子交換機等の過電流・過電圧保護装置に関するものである。
【０００２】
【従来の技術】
電話器の電子交換機は、結線のショートを保護するために正特性サーミスタが用いられている。
一方、これら交換機は雷サージによる機器の保護を行うため、例えばＵＬ１４５９に定められた過電圧・過電流による保護も必要とされている。
【０００３】
例えば電子交換機用としては２４０Ｖ  ２４Ａでは正特性サーミスタが保護動作して電流を抑制し、過電流を抑制後正常に復帰することが要求され、６００Ｖ４０Ａ、６００Ｖ  ７Ａ、６００Ｖ  ２．２Ａの過電圧・過電流の場合、回路をオープンすることが要求されている。
一般に、正特性サーミスタ素子にリード線を半田付けした構造のものに瞬時に大きな電力を加えた場合、正特性サーミスタは急速に発熱するが、その熱が半田を介してリード線から熱放散し、素子内部と素子両表面で温度差が生じ、そのため、素子厚み方向に剪断力が発生し、図４の如く素子の厚みのほぼ中間部で層状剥離１０が発生することが知られている。
ＵＬ１４５９に規定した６００Ｖ  ４０Ａ、７Ａ、２．２Ａの如き高い電圧を印加した場合、上記の特性を利用し、正特性サーミスタ素子を層状に破壊させたものが一部実用化されている。
然るに素子の層状破壊したものはその素子の剥離した距離がせいぜい０．０５〜０．１ｍｍ程度であり、繰返し６００Ｖの電圧が印加されたとき層状剥離した間でアーク放電が生じ、正特性サーミスタがついには焼損してしまうという致命的な欠点があった。
【０００４】
【発明が解決しようとする課題】
本発明はこれらの過電圧・過電流が繰返し加わった場合でも正特性サーミスタを小型化出来、且つ過電圧・過電流が加わっても焼損せず、機器を保護することを目的とするものである。
【０００５】
【課題を解決するための手段】
即ち、両面に電極が設けられた正特性サーミスタ素子の一方の電極にバネ性を有するリード線を半田付けし、正特性サーミスタ素子の他方の電極にもリード線を半田付けし、他方の電極と基板とをエポキシ樹脂等の接着剤で接着させ、上記他方の電極全面が上記接着剤でコーティングされており、且つ正特性サーミスタ素子の一方の電極とリード線とが離間するようにリード線のバネ性を付勢した状態で当該リード線の他端を基板に半田付けし、他方の電極のリード線の他端も基板に半田付けし、正特性サーミスタに過電圧・過電流が加わった場合、正特性サーミスタが自己発熱して正特性サーミスタ素子の電極とバネ性を有するリード線を接続した半田を融解させ、リード線のバネ力で正特性サーミスタ素子の電極とリード線とが離間することにより回路を遮断するとともに、上記バネ力で離間する迄の間、上記接着剤により正特性サーミスタの電極間でのアーク放電による正特性サーミスタ素子の焼損を防止することを特徴とする過電圧・過電流保護装置を提供するものである。
【０００６】
あるいは、両面に電極が設けられた正特性サーミスタ素子の一方の電極に半田付けされたリード線にバネ材を半田付けし、正特性サーミスタ素子の他方の電極にもリード線を半田付けし、他方の電極と基板とをエポキシ樹脂等の接着剤で接着させ、上記他方の電極全面が上記接着剤でコーティングされており、且つリード線と正特性サーミスタの一方の電極とが離間するようにバネ性を付勢した状態でバネ材の他端を基板に半田付けし、他方の電極のリード線の他端も基板に半田付けし、正特性サーミスタに過電圧・過電流が加わった場合、正特性サーミスタが自己発熱して正特性サーミスタ素子の一方の電極とバネ材を半田付けしたリード線とを接続した半田を融解させ、バネ材のバネ力で正特性サーミスタ素子の電極とリード線とが離間することにより回路を遮断するとともに、上記バネ力で離間する迄の間、上記接着剤により正特性サーミスタの電極間でのアーク放電による正特性サーミスタ素子の焼損を防止することを特徴とする過電圧・過電流保護装置を提供するものである。
【０００７】
【作用】
上記の構造とすることにより、正特性サーミスタ素子は従来は２０φ×４．０ｔｍｍの大きさであったものでも、６００Ｖ  ４０Ａ  １．５秒の過電圧は１回しか耐えることが出来なかったが、７φ×２．５ｔｍｍの大きさでも、６００Ｖの過電圧を繰り返し印加しても回路を保護することが可能となり、装置も小型化出来、コストも低減することが可能となった。
【０００８】
【実施例】
本発明の実施例を図１に基づき詳述する。
正特性サーミスタ素子１（７φ×２．５ｔｍｍ、キュリー温度１２０℃、抵抗値１２Ω）の両面にニッケルメッキ及び錫メッキにより、電極１２、１３を形成し、その電極にバネ性を有する０．５φの黄銅線からなるリード線２、３を半田４（錫−鉛共晶半田、融点１８３℃）で半田付けした。
【０００９】
リード線２、３の他端を基板５に半田付けするに際し、正特性サーミスタ素子１の一方の電極１３と基板５とを接着剤９（エポキシ樹脂）で接着し、リード線２は、そのバネ力で正特性サーミスタ素子１から離間するように付勢した状態で基板５に半田付けした。
このリード線３，２間にＵＬで規定されている６００Ｖ  ４０Ａ  １．５秒、６００Ｖ  ７Ａ  ５秒、６００Ｖ  ２．２Ａ  ３０分の電流を流したところ、正特性サーミスタに電流が流れて自己発熱して半田４の融点である１８３℃を超え、それぞれ０．０２秒、１．０秒、２．３秒で図３の通り、リード線２が正特性サーミスタ素子１から離間し、電流を遮断した。
【００１０】
また本発明の他の実施例を図２に示す。
正特性サーミスタ素子１（７φ×２．５ｔｍｍ、キュリー温度９０℃、抵抗値１２Ω）の両面にニッケルメッキ及び錫メッキにより、電極１２、１３を形成し、その電極に０．５φのＣｐ線からなるリード線６、７を半田４（錫−鉛共晶半田  融点１８３℃）で半田付けした。
【００１１】
正特性サーミスタ素子１の一方の電極１３と基板５とを接着剤９（エポキシ樹脂）で接着した後、リード線６の他端を基板５に半田付けし、リード線７の他端をバネ材８（リン青銅板、幅２．０ｍｍ  厚み１．０ｔｍｍ）で半田付けし、バネ材８をリード線７と正特性サーミスタとが離間するよう予め付勢した状態でバネ材８の他端を基板５に半田付けした。
リード線６、バネ材８の間に６００Ｖ  ４０Ａ  １．５秒、６００Ｖ  ７Ａ  ５秒、６００Ｖ  ２．２Ａ  ３０分の条件設定し、電流を流したところ、０．０５秒、１．６秒、３．８秒で電流を遮断した。
【００１２】
【発明の効果】
上述したように、正特性サーミスタを小型化し、低コストで高電圧、大電流を素早く遮断する過電圧、過電流保護装置を提供することが可能となり、６００Ｖの過電圧が繰り返し印加されても回路が完全にオープンするため、焼損することもなく、負荷側に過電圧が加わる事はない。
尚、実施例ではバネ材として黄銅やリン青銅を用いたが、これらのバネ材に限定されるものではないことはいうまでもない。また、正特性サーミスタ素子の一方の電極をエポキシ樹脂等で基板と接着することにより、バネ力で正特性サーミスタ素子が基板から浮き上がらないためにバネ力が経時的に変化することがない。
更に、一方の電極１３が接着剤９でコーティングされるため、６００Ｖの電圧が加わった際、バネ材８で離間する迄の間正特性サーミスタの電極間でのアーク放電による正特性サーミスタ素子の焼損を防止することが出来る。従って、接着剤９は正特性サーミスタ素子１の一方の電極を完全に覆うことが望ましい。
尚、接着剤はエポキシ樹脂に限るものではなく、フェノールやウレタン等の樹脂でも同様の効果を得ることが出来る。また、用途として、ＰＢＸ（電子交換機）を例として説明したが、この用途に制限されるものではなく、過電圧、過電流保護用として広く応用出来るものである。
【図面の簡単な説明】
【図１】本発明の一実施例の断面図である。
【図２】他の実施例の断面図である。
【図３】図１の実施例で、リード線が正特性サーミスタ素子から離間した状態を示す断面図である。
【図４】図４は従来の正特性サーミスタで過電圧が加わった場合に正特性サーミスタ素子が層状剥離した状態を示す。
【符号の説明】
１  正特性サーミスタ素子
２  リード線（黄銅線）
３  リード線（黄銅線）
４  半田
５  基板
６  リード線（Ｃｐ線）
７  リード線（Ｃｐ線）
８  バネ材（リン青銅板）
９  接着剤
１０  層状剥離
１１  外装材料
１２  電極
１３  電極
【図１】
0003993256.tif 000002
【図２】
0003993256.tif 000003
【図３】
0003993256.tif 000004
【図４】
0003993256.tif 000005